(57)【要約】【課題】容易に交換でき、且つ、交換費用を低減するとともに廃材の量を削減した照明器具を提供する。【解決手段】照明器具は、下面が開口した横長の略矩形箱状のケース本体１ａおよびケース本体１ａの開口を閉塞するカバー３で構成された器具本体１と、ランプ４に点灯電力を供給するための安定器ユニット２とを備えている。安定器ユニット２は、略コ字型に形成されたユニット本体２ａを有し、このユニット本体２ａには安定器１１が取着されている。また、ユニット本体２ａの長手方向両端部にはねじ挿通孔２ｃがそれぞれ貫設され、ケース本体１ａに突設されたねじ部５を対応するねじ挿通孔２ｃに挿通させるとともに蝶ナット１８を螺合させると、安定器１１を保持した状態でユニット本体２ａがケース本体１ａに着脱自在に取着されるようになっている。【選択図】図１
2009238545.tif 000002
【特許請求の範囲】
【請求項１】
ランプに点灯電力を供給する安定器を具備した器具本体と、前記安定器を保持した状態で前記器具本体に着脱自在に取着される安定器取付手段とを備えたことを特徴とする照明器具。
【請求項２】
複数の安定器を取着するための取付スペースが前記安定器取付手段に設けられたことを特徴とする請求項１記載の照明器具。
【請求項３】
ランプの光を反射させる反射板を備え、前記安定器取付手段が当該反射板により兼用されたことを特徴とする請求項１又は２の何れか１項に記載の照明器具。
【請求項４】
ランプの灯数に応じた安定器を前記安定器取付手段に保持させた複数種類の安定器ユニットが用意され、何れかの安定器ユニットが選択的に前記器具本体に取着されることを特徴とする請求項１〜３の何れか１項に記載の照明器具。
【請求項５】
ランプの光を反射させる反射部材を前記器具本体に着脱自在に取着する反射部材取付手段を備えたことを特徴とする請求項１〜４の何れか１項に記載の照明器具。
【発明の詳細な説明】
【技術分野】
【０００１】
本発明は、照明器具に関するものである。
【背景技術】
【０００２】
従来より、天井に固定されたレースウェイに取着されて室内などを照明する照明器具が種々提供されている（例えば特許文献１参照）。
【０００３】
図５はレースウェイ１２に取着される照明器具の一例を示しており、下面が開口した横長の略矩形箱状の器具本体１０１と、開口を閉塞する形で器具本体１０１に被着される横長の略矩形板状の反射板１０３とを備え、器具本体１０１の内部にはランプ１０４に点灯電力を供給する安定器１１が直付けされた状態で収納されている。
【特許文献１】特開平４−１４４００４号公報（第２頁右下欄第３行−第３頁右下欄第１行、及び、第１図−第４図）
【発明の開示】
【発明が解決しようとする課題】
【０００４】
上述の図５に示した照明器具では、例えば工場のレイアウト変更に伴い、照明器具の明るさをアップさせたり、明るさを低下させて省エネを図る場合に、器具一式を交換しなければならないため交換の手間がかかり、また交換費用がかさむとともに大量の廃材が発生していた。
【０００５】
本発明は上記問題点に鑑みて為されたものであり、その目的とするところは、容易に交換でき、且つ、交換費用を低減するとともに廃材の量を削減した照明器具を提供することにある。
【課題を解決するための手段】
【０００６】
請求項１の発明は、ランプに点灯電力を供給する安定器を具備した器具本体と、安定器を保持した状態で器具本体に着脱自在に取着される安定器取付手段とを備えたことを特徴とする。
【０００７】
請求項２の発明は、複数の安定器を取着するための取付スペースが安定器取付手段に設けられたことを特徴とする。
【０００８】
請求項３の発明は、ランプの光を反射させる反射板を備え、安定器取付手段が当該反射板により兼用されたことを特徴とする。
【０００９】
請求項４の発明は、ランプの灯数に応じた安定器を安定器取付手段に保持させた複数種類の安定器ユニットが用意され、何れかの安定器ユニットが選択的に器具本体に取着されことを特徴とする。
【００１０】
請求項５の発明は、ランプの光を反射させる反射部材を器具本体に着脱自在に取着する反射部材取付手段を備えたことを特徴とする。
【発明の効果】
【００１１】
請求項１の発明によれば、安定器取付手段により安定器を器具本体に着脱できるようになっており、レイアウト変更に伴って照明器具の必要照度が変更された場合には、器具本体はそのままで安定器が取着された安定器取付手段のみを交換すればいいので、施工が容易で明るさの変更にも容易に対応でき、また故障や寿命などで安定器を交換する場合も安定器ごと取付手段を交換することで容易に対応でき、レイアウト変更に対して容易に対応できるという効果がある。
【００１２】
請求項２の発明によれば、安定器取付手段には複数の安定器を取着するための取付スペースが設けられており、ランプの灯数に応じて安定器を複数使用する場合でも安定器取付手段を共用することができるので、安定器取付手段の種類増加に伴うコストアップを抑えることができ、また安定器取付手段を交換することによってランプ灯数の変更にも容易に対応することができるという効果がある。
【００１３】
請求項３の発明によれば、安定器取付手段を反射板により兼用させることによって安定器取付手段を別に設けなくてもいいので、部品点数を削減できるとともにコストアップを抑えることができるという効果がある。
【００１４】
請求項４の発明によれば、所望の安定器ユニットを選択して器具本体に取り付けることで、明るさの変更や安定器の交換にも容易に対応でき、器具全体を交換する場合に比べて交換費用を低減できるとともに廃材の量を削減することができるという効果がある。
【００１５】
請求項５の発明によれば、使用環境に応じて反射部材を器具本体に着脱することができ、照明器具の選択の幅が拡がるという効果がある。
【発明を実施するための最良の形態】
【００１６】
本発明に係る照明器具の実施形態を図面に基づいて説明する。本発明に係る照明器具は、建物に固定されたレースウェイに取り付けられ、室内（例えば、工場など）を照明するために用いられるものである。なお、以下の説明では特に断りがない限り、図１中の矢印ａ−ｂの方向を上下方向、矢印ｃ−ｄの方向を左右方向として説明を行う。
【００１７】
（実施形態１）
図１は本実施形態の１灯式の照明器具を示し、固定ねじ１５を介してレースウェイ１２に取着される器具本体１と、器具本体１に取着される安定器ユニット２と、直管型のランプ４とを備えている。
【００１８】
レースウェイ１２は、左右方向に延出する長尺状であって下側が開口する断面視略コ字型に形成されており、幅方向両側の先端部分を内側に折り曲げることにより全長に渡って溝部１２ａが形成されている。なお、このレースウェイ１２は、ボルト１３を用いて天井面（図示せず）などに取り付けられる。
【００１９】
器具本体１は、左右方向に延出するとともに下面が開口した略矩形箱状のケース本体１ａと、ケース本体１ａの開口を閉塞するカバー３とで構成され、ケース本体１ａの底部（レースウェイ１２との対向部位）中央には先行配線されたケーブル（図示せず）を挿通させるための電線挿通孔１ｃが貫設されている。また、ケース本体１ａの底部の左右方向両端寄りには固定ねじ１５が挿通されるねじ挿通孔１ｄがそれぞれ貫設され、さらに各ねじ挿通孔１ｄの内側には下方に突出するねじ部５がそれぞれ突設されている。なお、電線挿通孔１ｃの右側には端子台１０が取着されており、端子台１０の入力端には電線挿通孔１ｃから導入されたケーブルの各電線が接続され、端子台１０の出力端には電線２０を介してコネクタ１４ａが接続される。ここにおいて、ケース本体１ａの左右方向両端側には矩形状の切欠部１ｂがそれぞれ設けられており、各ランプソケット８は対応する切欠部１ｂ内にそれぞれ配置された状態でケース本体１ａに取着されるようになっている。なおこのとき、各ランプソケット８は互いの接続面８ａを対向させた状態でケース本体１ａに取着される。
【００２０】
一方、カバー３は、左右方向に細長い略矩形板状の主片３ａの幅方向両側を上方に折り曲げることで略コ字型に形成され、主片３ａの左右方向両端部にはケース本体１ａに取着されたランプソケット８を逃がすための矩形状の切欠部３ｂがそれぞれ設けられている。また、主片３ａの両側寄りには固定ねじ１９が挿通されるねじ挿通孔３ｃが貫設されている。ここにおいて、カバー３の主片３ａ下面により反射面が構成されている。
【００２１】
次に、安定器ユニット２は、左右方向に細長い略矩形板状の主片２ｄの幅方向両側を下方に折り曲げることで形成された略コ字型のユニット本体２ａを有し、主片２ｄの左右方向両端部には上記のねじ部５が挿通されるねじ挿通孔２ｃがそれぞれ貫設されている。また、主片２ｄにおいて各ねじ挿通孔２ｃの内側には下方に突出する突台部６がそれぞれ突設されており、各突台部６の底部には固定ねじ１９が螺合するねじ孔６ａが設けられている。さらに、主片２ｄにおいて端子台１０および電線挿通孔１ｃに対応する部位には略矩形状の挿通孔２ｂが貫設されており、挿通孔２ｂの左側にはランプ４に点灯電力を供給する安定器１１が取着されている。なお、安定器１１の入力端には電線２１を介してコネクタ１４ｂが接続されており、端子台１０のコネクタ１４ａと接続することによって端子台１０の出力端と安定器１１の入力端とが電気的に接続される。また、安定器１１の出力端には電線２２を介して１組のランプソケット８、８が接続されており、本実施形態では安定器１１とユニット本体２ａと１組のランプソケット８、８とで安定器ユニット２が構成されている。ここに、ユニット本体２ａは安定器１１を保持した状態でケース本体１ａに着脱自在に取着され、本実施形態ではユニット本体２ａにより安定器取付手段が構成されている。
【００２２】
ランプ４は直管状の発光管４ａを有し、発光管４ａの両端部には、一対のランプピン４ｃが突設された口金部４ｂがそれぞれ設けられている。
【００２３】
ここで、本実施形態の照明器具の施工手順について説明する。なお、以下の説明では照明器具を新規に設置する場合について説明を行い、安定器ユニット２（すなわち、安定器１１とユニット本体２ａとランプソケット８、８）は予め器具本体１のケース本体１ａに取り付けられ、さらに端子台１０のコネクタ１４ａと安定器１１のコネクタ１４ｂとが予め接続されているものとして説明する。まず、円板状の保持シート７を用いて各固定ねじ１５をレースウェイ１２に仮保持させた後、先行配線されたケーブル（図示せず）を電線挿通孔１ｃからケース本体１ａの内部に導入した状態で各固定ねじ１５のねじ部１５ａを対応するケース本体１ａのねじ挿通孔１ｄに挿通する。次に、下側からねじ部１５ａに座金１６を入れるとともに蝶ナット１７を螺合させてケース本体１ａをレースウェイ１２に取り付けた後、ケーブルの各電線を端子台１０にそれぞれ接続する。そして、ケース本体１ａの開口を閉塞する形でカバー３をケース本体１ａに被着した後、各固定ねじ１９を対応するねじ挿通孔３ｃに挿通させるとともにねじ孔６ａに螺合させてカバー３をケース本体１ａに取り付ける。最後に、各口金部４ｂを対応するランプソケット８にそれぞれ接続してランプ４をケース本体１ａに取り付けると、照明器具の施工が完了する。
【００２４】
次に、図２は安定器ユニットを２灯式のものに変更した照明器具を示し、器具本体１と、安定器ユニット２と、ランプ４とを備え、図１に示した照明器具が１組のランプソケット８、８を備えていたのに対して、図２の照明器具は２組のランプソケット８、８を備えている点で相違している。なお、図１に示した照明器具と同様の構成要素には同一の符号を付して説明は省略する。
【００２５】
ケース本体１ａの左右方向各端部にそれぞれ配置される２個のランプソケット８、８は、図２に示すように横長のソケット台７に幅方向に並べて取り付けられており、このソケット台７を介してケース本体１ａに取着されるようになっている。また、カバー３の左右方向両端部は、取付状態でソケット台７との隙間をなくすように下方に向けて略Ｌ字状に折り曲げられている。
【００２６】
ここで、例えば工場のレイアウト変更に伴って照明器具の照度をアップさせる場合（例えば照明器具を１灯式から２灯式に変更する場合）の交換手順について説明する。まず、図１に示す照明器具においてランプ４を取り外した後、固定ねじ１９を緩めてカバー３を取り外す。その後、コネクタ１４ａ、１４ｂの接続を解除した後、ケース本体１ａからランプソケット８を取り外すとともに、蝶ナット１８を緩めてケース本体１ａから１灯式の安定器ユニット２を取り外す。そして、１灯式の安定器ユニット２に代えて２灯式の安定器ユニット２をケース本体１ａ内に挿入し、ユニット本体２ａの両端部に設けたねじ挿通孔２ｃにそれぞれ対応するねじ部５を挿通するとともに、蝶ナット１８を螺合させてユニット本体２ａをケース本体１ａに取り付けた後、２個のランプソケット８が取着された２組のソケット台７、７をケース本体１ａの左右方向各端部にそれぞれ取着する。なおこのとき、コネクタ１４ａ、１４ｂも合わせて接続する。さらに、ケース本体１ａの開口を閉塞する形でカバー３をケース本体１ａに被着した後、各固定ねじ１９を対応するねじ挿通孔３ｃに挿通させるとともにねじ孔６ａに螺合させてカバー３をケース本体１ａに取り付ける。最後に、各口金部４ｂを対応するランプソケット８にそれぞれ接続して２本のランプ４をケース本体１ａに取り付けると、照明器具の交換が完了する。なお、上記説明では１灯式から２灯式に変更する場合を説明したが、２灯式から１灯式に変更する場合（照明器具の照度を低下させて省エネを図る場合）も同様の手順により交換が可能である。
【００２７】
本実施形態の照明器具では、ユニット本体２ａ（安定器取付手段）により安定器１１をケース本体１ａ（器具本体１）に着脱できるようになっており、レイアウト変更に伴って照明器具の必要照度が変更された場合には、器具本体１はそのままで安定器１１が取着されたユニット本体２ａのみを交換すればいいので、施工が容易で明るさの変更にも容易に対応でき、また故障や寿命などで安定器１１を交換する場合も安定器１１ごとユニット本体２ａを交換することで容易に対応でき、レイアウト変更に対して容易に対応できる。
【００２８】
ここにおいて、本実施形態ではユニット本体２ａに安定器１１が１個取り付けられた１灯式又は２灯式の照明器具として構成した場合を例に説明したが、本実施形態のユニット本体２ａには挿通孔２ｂの左右両側に複数（本実施形態では２個）の安定器１１を取着できる取付スペース２ｅが設けられており、図示はしていないが２個の安定器１１を取付スペース２ｅに並べて配置することによって、例えば３灯式又は４灯式の照明器具として構成できるようになっている。そして、本実施形態の照明器具では、ランプ４の灯数に応じた安定器１１をユニット本体２ａに保持させた複数種類（例えば、１灯から４灯までの４種類）の安定器ユニット２が用意され、何れかの安定器ユニット２が選択されてケース本体１ａに取着されるようになっている。
【００２９】
而して、本実施形態の照明器具では、所望の安定器ユニット２を選択してケース本体１ａに取り付けることで、明るさの変更や安定器１１の交換にも容易に対応でき、器具全体を交換する場合に比べて交換費用を低減できるとともに廃材の量を削減することができる。また、複数の安定器１１を取着するための取付スペース２ｅを設けることによって、ランプ４の灯数に応じて安定器１１を複数使用する場合でもユニット本体２ａを共用することができるので、複数の安定器ユニット２でユニット本体２ａを共用することでコストアップを抑えることができ、また安定器ユニット２を交換することによってランプ灯数の変更にも容易に対応することができる。さらに、本実施形態の照明器具は、上述のようにレースウェイ１２に対して容易に着脱できるように構成されており、照明器具の施工時間を短縮することができる。
【００３０】
なお、ユニット本体２ａに取着する安定器の個数は本実施形態に限定されるものではなく、３個以上であってもよい。また、ランプの灯数についても安定器の個数に応じて５灯以上であってもよい。
【００３１】
（実施形態２）
図３は本発明に係る照明器具の実施形態２を示しており、本実施形態では実施形態１で説明したユニット本体２ａをカバー３により兼用させている。なお、実施形態１と同様の構成要素には同一の符号を付して説明は省略する。
【００３２】
本実施形態のカバー３は、左右方向に細長い略矩形板状の主片３ａの４辺を上方に折り曲げた形状に形成されており、主片３ａの上面の左寄りには安定器１１が取着され、さらに主片３ａの左右方向両端側にはそれぞれランプソケット８が互いの接続面８ａを対向させた状態で下向きに取着されている。また、カバー３には１組の仮吊り紐２４、２４が設けられており、この仮吊り紐２４、２４をケース本体１ａの引掛部（図示せず）に引っ掛けることでカバー３を仮保持できるようになっている。すなわち、この仮吊り紐２４によりカバー３の落下が防止できるようになっている。なお、ケース本体１ａにおいてカバー３のねじ挿通孔３ｃに対応する部位には、図３に示すように矩形板状の取付片２３がそれぞれ取着されており、各取付片２３には固定ねじ１９が螺合するねじ孔２３ａが設けられている。ここに、本実施形態では、カバー３により安定器取付手段が構成されている。
【００３３】
次に、本実施形態の照明器具の施工手順について説明する。まず、円板状の保持シート７を用いて各固定ねじ１５をレースウェイ１２に仮保持させた後、先行配線されたケーブル（図示せず）を電線挿通孔１ｃからケース本体１ａの内部に導入した状態で各固定ねじ１５のねじ部１５ａを対応するケース本体１ａのねじ挿通孔１ｄに挿通する。次に、下側からねじ部１５ａに座金１６を入れるとともに蝶ナット１７を螺合させてケース本体１ａをレースウェイ１２に取り付けた後、ケーブルの各電線を端子台１０にそれぞれ接続する。その後、１組の仮吊り紐２４、２４をケース本体１ａの引掛部にそれぞれ引っ掛けてカバー３を仮保持させた状態で、端子台１０のコネクタ１４ａと安定器１１のコネクタ１４ｂを接続する。そして、ケース本体１ａの開口を閉塞する形でカバー３をケース本体１ａに被着した後、各固定ねじ１９を対応するねじ挿通孔３ｃに挿通させるとともにねじ孔２３ａに螺合させてカバー３をケース本体１ａに取り付ける。最後に、各口金部４ｂを対応するランプソケット８にそれぞれ接続してランプ４をケース本体１ａに取り付けると、照明器具の施工が完了する。
【００３４】
本実施形態の照明器具では、安定器１１を保持してケース本体１ａに着脱される安定器取付手段がカバー３により兼用されており、ユニット本体２ａを別に設けなくてもいいので、部品点数を削減できるとともにコストアップを抑えることができる。
【００３５】
なお、本実施形態では、ランプ４が１灯の場合を例に説明したが、ランプ４の灯数は本実施形態に限定されるものではなく、実施形態１と同様に２灯以上であってもよい。
【００３６】
（実施形態３）
図４は本発明に係る照明器具の実施形態３を示しており、実施形態１、２ではケース本体１ａの下面開口を閉塞するカバー３が反射板としての機能を備えているが、本実施形態では反射部材として器具本体１とは別部材の反射笠２６を用いている。なお、実施形態２と同様の構成要素には同一の符号を付して説明は省略する。
【００３７】
反射笠２６は、左右方向に細長い略矩形板状の主片２６ａを有し、主片２６ａの幅方向両端部には斜め下方に傾斜する傾斜片２６ｂがそれぞれ折曲形成されている。また、主片２６ａの左右方向両端部にはランプソケット８を逃がすための切欠部２６ｃがそれぞれ設けられ、さらに主片２６ａにおいて各切欠部２６ｃの内側には固定ねじ２５が挿通されるねじ挿通孔２６ｄが貫設されている。ここにおいて、反射笠２６の主片２６ａおよび両傾斜片２６ｂ、２６ｂの下面により反射面が構成されている。
【００３８】
一方、カバー３の主片３ａにおいて上記のねじ挿通孔２６ｄに対応する部位には、固定ねじ２５が螺合するねじ孔３ｄが設けられている。
【００３９】
而して、本実施形態の照明器具では、固定ねじ２５を反射笠２６のねじ挿通孔２６ｄに挿通させるとともにカバー３のねじ孔３ｄに螺合させることで、反射笠２６が器具本体１に取り付けられるようになっているので、使用環境に応じて反射笠２６を器具本体１に着脱することができ、照明器具の選択の幅が拡がる。ここに、固定ねじ２５およびカバー３に設けたねじ孔３ｄにより反射部材取付手段が構成されている。
【００４０】
なお、本実施形態では、ランプ４が１灯の場合を例に説明したが、ランプ４の灯数は本実施形態に限定されるものではなく、実施形態１と同様に２灯以上であってもよい。
【００４１】
また、本実施形態で説明した反射笠２６を実施形態１、２で説明した照明器具に適用し、所望の配光が得られるように構成してもよい。
【図面の簡単な説明】
【００４２】
【図１】実施形態１の照明器具の分解斜視図である。
【図２】同上の他の例を示す分解斜視図である。
【図３】実施形態２の照明器具の分解斜視図である。
【図４】実施形態３の照明器具の分解斜視図である。
【図５】従来例の照明器具の分解斜視図である。
【符号の説明】
【００４３】
１  器具本体
１ａ  ケース本体
２  安定器ユニット
３  カバー
２ａ  ユニット本体（安定器取付手段）
４  ランプ
１１  安定器
【図１】
2009238545.tif 000003
【図２】
2009238545.tif 000004
【図３】
2009238545.tif 000005
【図４】
2009238545.tif 000006
【図５】
2009238545.tif 000007